(57)【要約】      （修正有）【課題】階段片隅の上段から下段に至る間に滑り台を設置し、この上に荷物を乗せて滑らせながら運搬するもので、労力が省けるとともに事故防止を図る。【解決手段】随時に階段片隅の上、下段の間に立て掛けて滑り台下の階段上、下段及び中段の部分に据え付け具を用いて階段に固設した後、滑り台上に荷物を乗せて滑らせながら階段を昇降するものであるが、滑り台中心部の１〜２箇所にステッパ−付きの荷物の滑り止めを設けることにより、運搬中滑り止めに荷物を留めて一時休止することができる為、運搬の労力が省け事故防止にも役に立つ。【選択図】図１
0003131562.tif 000002
【実用新案登録請求の範囲】
【請求項１】
▲１▼階段の上段から下段に至る間に随時に設置する▲１０▼ストッパ−付きの▲９▼滑り止めを備えた荷物運搬用滑り台本体と、前記荷物運搬用滑り台の▲２▼滑り板の表面中央部又は複数の箇所のそれぞれ中心部で、各段の中間に▲２▼滑り板に対して直角になるように取り付ける▲１０▼ストッパ−付きの▲９▼滑り止め及び階段上、下段及び複数の中段に階段への▲３▼▲５▼▲１５▼据え付け具を設けた階段荷物運搬用滑り台。
【請求項２】
▲９▼滑り止めは横からみてく状で、その上部の▲９▼滑り止め部分と下部の▲１１▼ストッパ−受け部分からなり、上部▲９▼滑り止め下方につけた▲１２▼軸部分より下は重もし部分で上方より重く▲２▼滑り板に対し直角で上向きに突き出し、一方の▲１１▼ストッパ−受けは▲２▼滑り板の下方に段差部分に向け垂直となり▲２▼滑り止めは▲１２▼軸部分で自由に回転できるように▲８▼側板に取り付けた請求項１記載の階段荷物運搬用滑り台。
【請求項３】
▲１０▼ストッパ−は水平になるように▲１３▼軸に固設した上▲１１▼ストッパ−受けと接する位置になるように▲２１▼螺旋状バネを▲８▼側板とストッパ−との間の左右の▲１３▼軸に通した上、両▲８▼側板に取り付けた請求項１記載の階段荷物運搬用滑り台。
【請求項４】
▲１１▼ストッパ−受けは▲２▼滑り止めと切離しお互いを▲１４▼丁番で接続し階段上段に向けて折れることができ▲１０▼ストッパ−と接触するように設けた請求項１記載の階段荷物運搬用滑り台。
【請求項５】
階段への▲３▼〜▲５▼据え付具は各上、中段の▲２▼滑り板に▲４▼丁番で取り付け階段面と接する面には多数の小突起付▲１９▼ゴム板を貼付しており、上段のものは▲２▼滑り板との▲１６▼留具を左右につけ、中段のものは▲２▼滑り板の裏面に取り付けた▲６▼支え棒で▲５▼据え付け具を押さえ、下段のものは伸縮可能で▲２▼滑り板に▲１７▼固定用ねじをつけ先端には多数の小突起付ゴム板を貼付した▲１８▼角状の滑り止め等を備えた請求項１記載の階段荷物運搬用滑り台。
【考案の詳細な説明】
【技術分野】
【０００１】  本考案は主に一般家庭で階段での荷物運搬に当たり、抱えることなく本考案品の上を滑らせながら運搬する為のものである。
【背景技術】
【０００２】  従来家庭用で階段の荷物運搬に用いられる器具等はなく持ち抱えて階段を昇降しているのが一般的である。
【考案の開示】
【考案が解決しょうとする課題】
【０００３】  荷物を持ち抱えて階段を昇降することは容易でなく階段の踏み外し等あり、特に重量物の運搬は困難な上危険が伴うためこれ等の欠点を解決しようとするものである。
【課題を解決するための手段】
【０００４】  本考案は階段片隅上段から下段に至る間に滑り台を階段からずれることがないように上、下段及び複数の中段に据え付け具を用いてしっかり据え付け、滑り板上に荷物を乗せ滑らせて階段を昇降するが、その際荷物が一気に滑らないように滑り台の中段等１〜３箇所にストッパ−付きの滑り止めを設置し昇降途中で進行を休止することにより問題点を解決している。
【考案の効果】
【０００５】  上述した本考案の階段荷物運搬用滑り台は不必要な時には起こして階段横に立て掛けておき必要に応じて階段に据え付けるがこの作業は簡単である。
【０００６】  階段での荷物運搬の際荷物を抱える必要がなく本考案品上を滑らせて昇降するため大変労力が省ける。
【０００７】  また、簡単な操作で荷物止めでの休止、進行ができ特に階段途中で運搬を休止できるので労力も省ける上危険防止にも役に立つ。
【考案を実施するための最良の形態】
【０００８】    階段荷物運搬用滑り台を階段の片隅上段から下段の間に立て掛け各段の据え付け具具を用いて据え付けるが、その際滑り止めが各段の中間に位置し滑り止めが滑り板に対して直角に上向きになるように固設する。【０００９】  この時ステッパ−受けはステッパ−と接触している状態であり、荷物が滑り板上を滑り降りて来ると滑り止めで止まる為、ステッパ−を側板に向かって押すか引くかするとステッパ−はステッパ−受けから外れ、滑り止めは下方に向かって倒れることとなりその際先端は滑り板の下に位置する為荷物はその上を通過し、通過後滑り止めはその下半部分の重みにより直立して元に復帰するが、この時ステッパ−受けは上半の滑り止めと丁番で接続している部分から階段上方に折れるのでステッパ−とは当たることなく直立して復帰する。【００１０】  次に階段昇りの場合は滑り止め部分に荷物が来たらそのまま押し倒して通過するが滑り止めはステッパ−が効いていない状態であり、この部分で一休みする場合は通過后荷物をやや後退させると滑り止めは元の状態に戻りステッパ−が効いている状態となっている為荷物を留め一休みすることができる。
【実施例】
【００１１】  以下添付図面に従って実施例を説明する
図１において主に木材等適宜素材で形成された階段荷物運搬用滑り台を▲１▼階段の片隅の上段から下段に至る間に起こして▲２▼滑り板を上向きに倒し上段の▲３▼据え付け具を▲２０▼ゴム板を下にして▲１６▼留具を用いて適当な角度に保つように止め、次に複数の中段の▲５▼据え付け具等を各段上に▲１９▼ゴム板を下になるように置き▲６▼支え棒を起こし中段の▲５▼据え付け具の上面を支えて最后に下段の▲１５▼据え付け具の長さに合うように伸縮し先端の▲１８▼角状の滑り止めを床につけ▲１７▼固定用ねじを締めて階段上に固設する。【００１２】  以下上記構成の動作を説明する
荷物を階上から降ろす時には▲２▼滑り板上に乗せ徐々に滑らせ降下するが途中の▲９▼滑り止めに至ると▲９▼滑り止めは下方の▲１１▼ストッパ−受けを▲１０▼ストッパ−が押さえているので下段に向かって倒れることができず▲９▼滑り止めに荷物は留まり、そこで▲１０▼ストッパ−を左右の▲８▼側板方向に押すか引くかすると▲１１▼ストッパ−受けから横に外れ▲９▼滑り止めは下段方向に倒れて▲９▼滑り止め上端が▲２▼滑り板より下に位置することとなり荷物はその上を難なく通過でき、荷物の通過後は▲９▼滑り止めは下方の重みで元の位置に戻り直立するが▲１０▼ストッパ−は▲２１▼螺旋バネの力で元の位置に戻っている状態であるが▲１２▼ストッパ−受け部分は▲９▼滑り止め下端と▲１４▼丁番で接続しているので▲１０▼ストッパ−部分を通過する時にはその▲１４▼丁番の部分から上に向けて折れ障害とはならず▲１２▼ストッパ−受けは復帰して通常の状態に復帰する。【００１３】  荷物が昇る時には荷物を▲２▼滑り板上に乗せて滑らせて昇り、▲９▼滑り止めに至ると▲１０▼ストッパ−は効いていないので押し倒して進むと▲９▼滑り止めの上端は▲２▼滑り板の下方の位置になるため難なく通過し、その後▲９▼滑り止めは▲９▼滑り止め下方の重量により元の状態に戻って直立するので荷物を少々後退させて▲１０▼ストッパ−が効いている▲９▼滑り止めに留めて一休みすることができる
以上のように保全性が高く少ない労力でかつ簡単な操作で階段上を荷物の昇降ができる。
【図面の簡単な説明】
【００１４】
【図１】  本考案の実施形態を示す階段の荷物運搬用滑り台側面から見た外観図
【図２】  本考案の階段荷物運搬用滑り台の上方から見た平面図
【図３】  本考案の階段荷物運搬用滑り台の荷物滑り止め部分を示す断面図
【図４】  本考案の階段荷物運搬用滑り台の荷物滑り止め部分を前方から見た断面図
【図５】  本考案の階段の荷物運搬用滑り台の階段上段の留具部分の断面図
【図６】  本考案の階段の荷物運搬用滑り台の階段下段の留具部分の断面図
【符号の説明】
【００１５】    １    階段                １８    角状の滑り止め
２    滑り板              １９    ゴム板
３    据え付け具          ２０    ゴム板
４    丁番                ２１    螺旋バネ
５    据え付け具
６    支え棒
７    丁番
８    側板
９    滑り止め
１０    ストッパ−
１１    ストッパ−受け
１２    軸
１３    軸
１４    丁番
１５    据え付け具
１６    留具
１７    固定用ねじ
【図１】
0003131562.tif 000003
【図２】
0003131562.tif 000004
【図３】
0003131562.tif 000005
【図４】
0003131562.tif 000006
【図５】
0003131562.tif 000007
【図６】
0003131562.tif 000008